(57)【特許請求の範囲】
【請求項１】
外袋の投入口に、内袋の投入口を重ねた状態で樹脂ペレットの充填がなされ、外袋及び内袋の投入口を封止した後、外袋と、内袋とからなる二重構造をもって、充填物を運搬、保管に供するワンウェイフレコンにおいて、
内袋の一部分であって、投入口が天井を仰ぐ姿勢にあるときに、上方となる部位には、前記樹脂ペレットを通さず、内袋の内部から外部に向かう空気を通す空気弁が取り付けられ、
前記内袋の上方となる部位は、通気のために穿孔され、前記空気弁は、当該穿孔による開口を塞ぐように取り付けられており、
前記空気弁は、弁本体と、メッシュ材とを含み、
前記内袋の内側から外側に向かう方向に向けて、弁本体と、メッシュ材とが、その順、又は、逆順に並ぶ状態で配置されている
ことを特徴とするワンウェイフレコン。
【請求項２】
前記空気弁は、両端開放の筒体を有し、当該筒体は、前記開口と連通するように設けられ、
前記筒体の一端は、メッシュ材が取り付けられることで、その端面が覆われており、
前記筒体の他端は、弁本体が取り付けられることで、その端面が覆われている
ことを特徴とする請求項１に記載のワンウェイフレコン。
【請求項３】
前記弁本体は、可動弁と、弁座との組みからなり、
前記弁座は、前記筒体の他端端面の開放部の一部を覆うように設けられ、
可動弁は、前記筒体の開放部の残りを覆うように設けられており、
可動弁のうち、弁座から遠い側の一部が、筒体に止着されている
ことを特徴とする請求項２に記載のワンウェイフレコン。
【請求項４】
空気弁の筒体が、内袋の外側表面にまで延出しており、当該筒体は、栓体で封止される
ことを特徴とする請求項１〜２の何れかに記載のワンウェイフレコン。
【請求項５】
前記内袋の外側表面であって、前記開口の周縁部には、空気吸い出しのための長尺のホース部材が取り付けられており、当該ホース部材は、外袋の投入口にまで引出可能である
ことを特徴とする請求項１〜２の何れかに記載のワンウェイフレコン。
【発明の詳細な説明】
【技術分野】
【０００１】
本発明は、ワンウェイフレコンに関し、特に、内袋と、外袋とからなる二重構造で、樹脂ペレットを収容する場合の改良に関する。
【背景技術】
【０００２】
ワンウェイフレコンとは、柔軟な材料で構成されている中形容器(一般に、“フレキシブルコンテナバッグ”と呼ばれる)であって、使い捨てにすることを前提にして設計されたものをいう。従来からワンウェイフレコンは、内袋、外袋からなる二重構造を採用している。これは、樹脂ペレットの収容にあたって、引張強度を高めたいという強度面の要請と、充填物を封止して、異物混入(コンターミネーション)を避けたい品質面の要請とを同時に満たすためである。ワンウェイフレコンの先行技術としては、以下の特許文献１に記載されたものがある。この特許文献１に記載されたワンウェイフレコンは、内袋−外袋からなる二重構造を採用しつつも、樹脂ペレット排出用の筒体である排出筒を一重の素材で構成したものである(段落００１３、００２５)。排出筒が一重の素材で構成されているため、特許文献１に記載されたワンウェイフレコンでは、排出筒の屈曲が容易となる。このように、排出筒の屈曲を容易にすることで、従来のワンウェイフレコンは、縦向き姿勢の安定化を図っている。
【先行技術文献】
【特許文献】
【０００３】
【特許文献１】特開２０１３−１８５２４号公報
【発明の概要】
【発明が解決しようとする課題】
【０００４】
ところで、ワンウェイフレコンをサイロの下部において、樹脂ペレットを投入する際、ワンウェイフレコンの内部に存在する空気は、投入される樹脂ペレットの体積分だけ外部へ押出されるが、その一部は、外部に押出されることなく、ワンウェイフレコンの上部に残存することになる。何故なら、内袋が丁度満杯になるまで、樹脂ペレットを投入することはできないからである。ワンウェイフレコンでは、上記二重構造の内袋に樹脂ペレットが充填され、その後、封止されるので、一旦、封止された後は、押出されずに残った空気を抜くことができない。経験的には、樹脂ペレットの収容時には、ワンウェイフレコンの総容量の約１／５程度の空気が内袋に残るといわれる。多くの空気が、ワンウェイフレコンの内部に残っていると、その上部において、いわゆる「樹脂の流動」が発生する。閉じた空間内に、樹脂ペレットを封入して、その空間内の空気比率が高くなると、樹脂ペレットが水とよく似た物性をもつからである。
【０００５】
上部に残存した空気が原因で、樹脂の流動化が発生するのであれば、倉庫内での保管にあたって、１つのワンウェイフレコンに、他のワンウェイフレコンを積み重ねるようなことはしてはならない。そのような積み重ねで多数のワンウェイフレコンを保管する場合、ワンウェイフレコンの傾斜や転倒が発生しかねないからである(図１６のwf1,2,3,4,5,6,7,8参照)。また上部に残存した空気が原因になっているので、たとえ特許文献１に記載された先行技術(排出筒を一重の素材で構成するというもの)を適用して、縦向き姿勢の安定化を図ったとしても、上記の傾斜や転倒は免れない。
【０００６】
一方、内袋内に樹脂ペレットを投入した際、樹脂ペレットに入った空気を充分に抜いておけば、樹脂ペレットが流動するような事態は発生しない。ここで、かかる空気抜きでは、既に収容された樹脂ペレットがこぼれ出ないように片方の手で内袋の投入口を絞りつつ、内袋を圧迫してゆく必要がある。かかる空気抜きは、技量や熟練が要求され、相応の経験を積んだ作業者であっても、３０分程度の作業時間を必要とする。入庫すべきワンウェイフレコンが多く存在する場合、全てのワンウェイフレコンについて、かかる空気抜きを徹底するというのは、作業者にとって多大な負担になり、入庫作業のスピード化の大きな妨げになる。
【０００７】
本発明の目的は、空気抜きに要する時間を短縮化しつつも、積み重ね時の安定性を高めることができるワンウェイフレコンを提供することである。
【課題を解決するための手段】
【０００８】
上記の技術的課題は、内袋の内部で、局所的に滞留した空気を効率的に抜くことができるような工夫をワンウェイフレコンに施すことで解決することができる。それは、内袋の一部分であって、投入口が天井を仰ぐ姿勢にあるときに、上方となる部位に、樹脂ペレットを通さず、内袋の内部から外部に向かう空気を通す空気弁を取り付けるというものである。
【発明の効果】
【０００９】
上記の課題解決手段を具備したワンウェイフレコンでは、内袋であって、投入口が天井を仰ぐ姿勢になったときに上方を向く部位に、空気弁を取り付けているから、内袋の投入口を封止した上、内袋を圧迫することで、内袋の上部に滞留していた空気を早期に抜くことができる。このようにして、内袋の上部に滞留していた空気を抜いておくと、たとえ5分程度の空気抜きであっても、ワンウェイフレコンの縦向き姿勢は相応の安定性をもつことになる。以上の圧迫で空気抜きを行った後、空気抜きがなされたワンウェイフレコンの上に、別のワンウェイフレコンを積み重ねに供せば、少ないスペースに多くのワンウェイフレコンを保管することができる。これにより、樹脂ペレットの保管コストの低減を図ることができる。
【図面の簡単な説明】
【００１０】
【図１】ワンウェイフレコン１００の構成の一例を模式的に示す分解斜視図である。
【図２】図２（ａ）は、第１実施形態に係るワンウェイフレコン１００の樹脂ペレット投入時の断面構成の一例を模式的に示し、図２（ｂ）は、樹脂ペレット投入後であって、樹脂ペレットが保管される際の、第１実施形態に係るワンウェイフレコン１００の断面構成の一例を模式的に示す。
【図３】図３（ａ）は、斜め上からワンウェイフレコン１００を俯瞰した場合の斜視図であり、図３（ｂ）は、斜め下からワンウェイフレコン１００を俯瞰した場合の斜視図である。
【図４】図４（ａ）は、空気弁３０全体の構成を示す斜視図である。図４（ｂ）は、底面側から空気弁３０を平面視した場合の平面図である。図４（ｃ）は、図４（ａ）において、一点鎖線Ｃ−Ｃ’の位置で空気弁３０を切断した場合の断面構成を示す断面図である。図４（ｄ）は、図４（ａ）において、一点鎖線Ｄ−Ｄ’の位置で空気弁３０を切断した場合の断面構成を示す断面図である
【図５】図５（ａ）は、空気弁３０のうち、円筒体３１の周面を一部破断して、円筒体３１の内部を示した図である。図５（ｂ）は、空気弁３０が、内袋２０に取り付けられる過程を示す図である。
【図６】図６（ａ）は、開弁になっている空気弁を示す断面図である。図６（ｂ）は、開弁になっている空気弁を示す斜視図である。図６（ｃ）は、閉弁になっている空気弁を示す断面図である。図６（ｄ）は、閉弁になっている空気弁を示す斜視図である。
【図７】図７（ａ）は、サイロ２００から吐出した樹脂ペレットで、ワンウェイフレコン１００を充填する工程を示す。図７（ｂ）は、リフトコンベア３００aを用いることで、樹脂ペレットが充填されたワンウェイフレコン１００をトラック４００に積み込む工程を示す。図７（ｃ）は、トラック４００が搬送先に到着した際、リフトコンベア３００bを用いてトラック４００からワンウェイフレコン１００を運び出し、倉庫５００に保管する工程を示す。
【図８】図８（ａ）は、樹脂ペレットを収容する前の準備作業を模式的に示す。図８（ｂ）は、樹脂ペレットの充填作業を模式的に示す。図８（ｃ）は、内袋２０の結束作業を模式的に示す。図８（ｄ）（ｅ）は、外袋１０の結束作業を模式的に示す。図８（ｆ）は、空気抜き作業を模式的に示す。
【図９】面打ちで配置されたワンウェイフレコン１００の配列の一例を示す。
【図１０】図１０（ａ）は、投入筒１１、排出筒１２を引き出した状態のワンウェイフレコン１００に、各部の具体的な寸法を書き加えた図である。図１０（ｂ）は、内袋２０に、空気弁３０を取り付けるべき範囲を書き加えた図である。
【図１１】図１１（ａ）は、図４（ａ）の一点鎖線Ｃ−Ｃ'の位置で、内袋２０に取り付けられた状態の空気弁３０を切断し場合の断面構成を模式的に示す断面図である。図１１（ｂ）は、弁体３５を平面視した際の図である。
【図１２】図１２（ａ）は、第２実施形態に係る空気弁３０の外部構成を示す。図１２（ｂ）〜（ｄ）は、ホース材３７の用いられ方を示す。
【図１３】図１３（ａ）は、第３実施形態に係るワンウェイフレコン１００の樹脂ペレット投入時の断面構成を示し、図１３（ｂ）は、樹脂ペレット投入後であって、樹脂ペレットが保管される際の、第３実施形態に係るワンウェイフレコン１００の断面構成を示す。
【図１４】図１４（ａ）は、第３実施形態に係る空気弁４０の構成を模式的に示す図である。図１４（ｂ）は、図１４（ａ）の一点鎖線E-E'の位置で切断した場合の空気弁４０の開弁時の断面構成を模式的に示す図である。図１４（ｃ）は、空気弁４０の閉弁時の断面構成を模式的に示す図である。
【図１５】第４実施形態に係るワンウェイフレコン１００の外観を模式的に示す。
【図１６】倉庫内の複数のワンウェイフレコンが傾斜・転倒した状況を模式的に示す図である。
【発明を実施するための形態】
【００１１】
以下、図面を参照しながら、上記課題解決手段を具備したワンウェイフレコンの様々な実施形態について説明する。以下の説明に係る実施の形態は、本発明の構成上の特徴および当該特徴的構成から得られる作用効果を分かりやすく説明するための１つの例示としての役割が与えられている。よって、課題解決手段を具備したワンウェイフレコンの発明は、その本質的な特徴部分を除き、以下の形態に何ら限定を受けるものではない。
【００１２】
（第１実施形態）
第１実施形態は、ワンウェイフレコンを構成する外袋、内袋のうち、内袋の上方に空気弁を設けて、樹脂ペレットを収容する際に内袋に残存した空気を、かかる空気弁を通じて、ワンウェイフレコンの外部に排出させる改良に関する。
（ワンウェイフレコンの構成）
以下、図１の分解斜視図、図２（ａ）、（ｂ）の断面図、図３（ａ）、（ｂ）の外観図を参照しながら、ワンウェイフレコン１００の構成について説明する。図２（ａ）は、樹脂ペレット投入前の断面構成を示し、図２（ｂ）は、樹脂ペレット投入後であって、樹脂ペレットが保管される際の断面構成を示す。これらの断面構成は、図１の一点鎖線A-A'の位置で、ワンウェイフレコン１００の胴体部を切断した場合のものである。
【００１３】
図１に示すように、ワンウェイフレコン１００は、胴体部１０１と、左右の吊紐１０２a,bと、上蓋１０４と、下蓋１０５とで構成される。
胴体部１０１は、図２（ａ）（ｂ）に示すように、ポリプロピレンを素材としていて、相応の引張強度を有しており、通気性がよい外袋１０と、ポリエチレンを素材としていて、空気弁３０が取り付けられた内袋２０とからなる二重構造を有する。外袋１０は、円筒形状をなしていて、その上端面に前記円筒形状と同心円形状の投入筒１１を有し、下端面に円筒形状と同心円形状の排出筒１２を有する。
【００１４】
左右の吊紐１０２a,bは、図１に示すように、長尺な紐体をＵ字状に曲げ、その折曲げ状態にある紐体のうち、中央の湾曲部分hd1,hd2、及び、両端部md1,md2,md3,md4を残して、それ以外の部分sd1,sd2,sd3,sd4を胴体部１０１の周面に縫付け若しくは接着することで、胴体部１０１に取り付けられる。
中央の湾曲部分hd1,hd2は、ワンウェイフレコンを運搬したり、図示しないサイロ等に引っ掛けたりする際の取っ手として用いられる。一方、両端部md1,md2,md3,md4は、図３に示すようにワイヤ線wで連結されると共に当該ワイヤ線wを絞って、胴体部１０１の下面に沿う状態に折り畳まれることで、胴体部１０１の底面に取り付けられる。折畳みの前に下蓋１０５を胴体部１０１の下面に添わせておくことにより、下蓋１０５は、紐の両端md1,md2,md3,md4によって胴体部１０１の下面に密着固定される。
【００１５】
上蓋１０４、  下蓋１０５は、外袋同様、ポリプロピレンを素材として用いて逆皿の形状に形成されている。尚、上蓋１０４は、図示しない止め具等を用いて、胴体部１０１の上面に取り外し自在に取り付けてある。上蓋１０４、下蓋１０５の双方は、図３に見られるように、中央に角穴SQ1,SQ2が形成されており、更に、角穴SQ1,SQ2のコーナー部分から外向きに切り込み１０４a,b,c,d、１０５a,b,c,dが入れてある。切り込み１０４a,b,c,d、１０５a,b,c,dで挟まれた蓋の舌片部分を折り返すことにより角穴SQ1,SQ2を拡大させることができる。このような拡大を経て、胴体部１０１の投入筒１１、排出筒１２は、上蓋１０４、下蓋１０５より外方に容易に突出させることができる。
【００１６】
上蓋１０４からの投入筒の突出は、内袋２０に樹脂ペレット等の内容物を投入する際、下蓋１０５からの排出筒１２の突出は、内袋２０に収容された内容物を排出する際にそれぞれなされる。内袋２０は、投入筒が突出しているか否かに応じて、樹脂ペレット投入時と、投入後の樹脂ペレット保管時とでそれぞれ別々の態様をなす。
内袋２０は、外袋１０と略相似形を有しているが、下端側の開口２２は図２（ａ）、図２（ｂ）に見られるように、紐などで閉止されている。内袋２０の上端側の開口２１は、内袋２０内に樹脂ペレット等の内容物を投入する際は、図２（ａ）に示すように外袋１０の投入口上端１１eを折り返すように掛けられるし、内容物を内袋内に投入し終わると、内袋２０の上端側の開口２１は、図２（ｂ）に示すように紐等で封止され、投入口内１１iに織り込まれる。
【００１７】
次に、図４（ａ）、図５（ａ）の斜視図、図４（ｂ）の平面図、図４（ｃ）、（ｄ）の断面図を参照しながら空気弁３０の構成について説明する。図４（ａ）は、空気弁３０全体の構成を示す斜視図であり、図５（ａ）は、空気弁３０のうち、円筒体３１の周面を一部破断して、円筒体３１の内部を示している。図４（ｂ）の平面図は、底面側から空気弁３０を平面視した場合のものであり、図５（ｃ）、（ｄ）の断面図は、図４（ａ）において、一点鎖線C-C’、D-D’の位置で空気弁３０を切断した場合の断面構成を示す。
【００１８】
空気弁３０は、軟質のポリプロピレン(PP)樹脂材、又は、硬質のポリエステル(PE)樹脂材からなり、可撓性をもった円筒体３１の一端を開口させ、該開口をメッシュ３２で覆う一方、他端を図４（ｂ）に示すように円弧状の弁座部３３を残して開口３４させ、図４（ｃ）に示すように、当該開口３４を覆う状態で弁体３５を設けた構成をしている。
弁体３５は、図４（ｄ）に示すように、開口３４の内縁eg1と接する外縁eg2を有し、且つ、図５（ａ）に示すように、弁座部３３の一部と重なる大きさを有した円弧形状をしており、前記弁座部３３から最も遠い周部一部３４aを円筒体３１に対して起伏自在に止着してある。弁体３５は外力が掛かっていない状態で、図５（ａ）のように弁座部３３に接触(閉弁)している。図５（ａ）の下方から上方に向かう外力が加わると、図６（ａ）、（ｂ）に示すように弁体３５は弁座３３から浮き上がる(開弁)。その後、外力がなくなると、図６（ｃ）、（ｄ）に示すように、弁体３５は再び、閉弁する。尚、本明細書において、弁座部３３と弁体３５とを“弁本体”と称することとする。
【００１９】
上記構成の空気弁３０は、図２（ａ）に示すように、内袋２０の円筒上部の肩部分に止着される。円筒体３１において、メッシュ３２で覆われている側の開口縁部には、外側に張り出すように、矩形形状のフランジ３１aが形成されている。図５（ｂ）に示すように、内袋２０の対応箇所を開口２０ｈさせ、両面テープ、又は、接着剤を用いて、矩形形状のフランジ部分３１aを、内袋２０の内表面における開口２０hの周縁部に貼付けることで、上記の止着はなされる。かかる止着により、当該開口２０ｈと、内袋内方からメッシュ３２で覆われた円筒体３１の開口とは、軸心ax2に沿って連通する。
【００２０】
尚、弁本体は、開弁状態において内袋の中の不要な空気を短時間(数秒)に追い出すことができる程度の空気流通量を有している必要がある。従って、内袋内に存在する不要な空気の量の多さに応じてサイズが設定される。
また、前記メッシュ３２の目の粗さは、内袋２０に収納される樹脂ペレット等の内容物の通過を阻止し、空気のみを流通させる程度になっている。
【００２１】
（ワンウェイフレコンの使用形態）
以上のように構成されたワンウェイフレコン１００が、樹脂ペレットの物流現場で、どのように用いられるかについて説明する。
図７（ａ）は、サイロ２００から吐出した樹脂ペレットで、ワンウェイフレコン１００を充填する工程を示す。図７（ｂ）は、リフトコンベア３００aを用いることで、樹脂ペレットが充填されたワンウェイフレコン１００をトラック４００に積み込む工程を示す。図７（ｃ）は、トラック４００が搬送先に到着した際、リフトコンベア３００bを用いてトラック４００からワンウェイフレコン１００を運び出し、倉庫５００に保管する工程を示す。図７（ｃ）のワンウェイフレコン１００a,b,c,d,g,h,iは、かかる工程を繰り返すことで、倉庫５００の内部に積み重ねされた複数のワンウェイフレコンである。
【００２２】
図７（ａ）に示した充填工程では、外袋１０、内袋２０からなる二重構造を用いて、ワンウェイフレコン１００の内部に、樹脂ペレットを封止する作業がなされる。この封止作業の過程を、図８（ａ）〜（ｆ）を参照しながら説明する。図８（ａ）は、樹脂ペレットを収容する前の準備作業を模式的に示す。この準備作業は、内袋２０の投入口２１を外袋１０の投入筒１１から引き出し(pull(0))、内袋２０の上端を折り曲げて折り返し、投入筒１１の端部に掛ける(down(1))ことでなされる。
【００２３】
図８（ｂ）は、樹脂ペレットの充填作業を模式的に示す。この充填作業は、ワンウェイフレコン１００の吊紐１０２a,bの湾曲部分hd1,hd2をサイロ２００のフック２００a,bに引っ掛けて、かかる状態で、サイロ２００から吐出される樹脂ペレットを、ワンウェイフレコン１００の内袋に取り入れることでなされる(Pelet(2))。
図８（ｃ）は、内袋２０の結束作業を模式的に示す。結束作業は、内袋上端の根元をひもで結束し(turn(3))、投入筒１１の内部に押し入れる(down(4))ことでなされる。
【００２４】
図８（ｄ）（ｅ）は、外袋１０の結束作業を模式的に示す。図８（ｄ）（ｅ）に示される結束作業は、投入筒１１の根元をひもで縛り(図８（ｄ）のturn(5))、投入筒１１の内部に押し入れて、切り込み１０４a,b,c,dによって得られた舌片部分を、折り畳むことでなされる(図８（ｅ）のfold(6)〜(9))。
図８（ｆ）は、空気抜き作業を模式的に示す。この空気抜きは、作業者がワンウェイフレコン１００を両腕で抱き込んで、内袋２０内の空気を圧迫し(図８（ｆ）のload(10),(11))、空気弁３０から空気を排出することでなされる(air12)。外袋１０は通気性が高いため、空気弁３０を通じて内袋２０から排出された空気は、そのまま外袋１０の素材間を通過し、ワンウェイフレコン１００の外部に排出される。この図８（ｆ）に示すように、本実施形態では内袋２０の投入口が閉じられた状態での空気抜きが可能になるから、作業効率が高い。
【００２５】
続いて、ワンウェイフレコン１００の保管工程についての詳細を述べる。図９は、面打ちで配置されたワンウェイフレコン１００の配列の一例を示す。本図におけるワンウェイフレコン１００a,b,c,d,e,f,g,h,i,j,kは、これまでに説明したワンウェイフレコン１００と同一の構成をもった複数のワンウェイフレコンである。面打ちが、一般的なワンウェイフレコンの積み重ねと異なるのは、２段目の配置である。具体的にいうと、２段目のワンウェイフレコン１００g,h,i,j,kのパレットは、１段目の何れか1つのワンウェイフレコンと、その隣のワンウェイフレコンとの間(１００aと、１００bとの間、１００bと、１００cとの間、１００cと、１００dとの間、１００dと、１００eとの間)に配置される。２段目のワンウェイフレコンは、１段目のワンウェイフレコンと、その隣のワンウェイフレコンとの間に存在するから、ワンウェイフレコン１００a,b,c,d,e,f,g,h,i,j,kのそれぞれの姿勢が安定する。
【００２６】
これに加えて、ワンウェイフレコン１００a,b,c,d,e,f,g,h,i,j,kのそれぞれは、空気弁３０を用いた空気抜きがなされているので、一個一個のものの姿勢が安定しており、長期にわたるワンウェイフレコンの安全な保管が可能になる。
（実施例）
設計のための具体的な数値を引用することで、ワンウェイフレコン１００の好ましい実施例について説明する。図１０（ａ）は、投入筒１１、排出筒１２を引き出した状態のワンウェイフレコン１００に、各部の具体的な寸法を書き加えた図である。
【００２７】
図１０（ａ）によると、ワンウェイフレコンの胴体部１０１の高さは106cm、底面の径は110cmである。投入筒１１の内径は45cmであり、投入筒１１を引き出した場合、投入筒１１の高さは40cmとなる。排出筒１２の内径も45cmであり、排出筒１２を引き出した場合、排出筒１２の高さも40cmとなる。
図１０（ｂ）は、内袋２０に、空気弁３０を取り付けるべき範囲を書き加えた図である。図１０（ｂ）におけるハッチング範囲pt1は、空気弁３０を取り付けるべき範囲を示す。かかる範囲pt1は、内袋２０のうち、パレット面pa1から90cmの高さより上に存在している。当該範囲の何れかの位置に、空気弁３０を取り付けることで、内袋の上部に滞留していた空気を効率よく抜き出すことができる。
【００２８】
図１１（ａ）は、図４（ａ）の一点鎖線C-C'の位置で、内袋２０に取り付けられた状態の空気弁３０を切断した場合の断面構成を模式的に示す断面図である。かかる断面図では、断面構成に表れた円筒体３１、メッシュ３２、弁座部３３、弁体３５、円筒体端部のフランジ部分３１aの寸法を書き加えている。
図１１（ａ）によると、円筒体３１の奥行き方向の長さは、0.5〜5cmの範囲であり、その内径は5cmである。ワンウェイフレコンの胴体部の高さは106cm、底面の径は110cmであるからワンウェイフレコンの容量が約１リューベ(１立方メートル)となり、ワンウェイフレコンの内部に滞留する空気は、200リットル程度となる。ワンウェウイフレコンを圧迫して、かかる空気を5分程度で抜き取るため、円筒体３１の内径は、5cmに定められている。
【００２９】
また、メッシュ３２の１インチ(2.54cm)当りの網目数は、50〜500個であり、0.05mm〜5mmの粒径の樹脂ペレットを遮ることができる。
更に、フランジ部分３１aの縦横の幅は、6〜10cmであり、その中央部の開口の径は5cmである。図１１（ａ）によると、弁体３５の止着箇所３４aから、円弧形状の弦部３４bまでの長さは3.0cmであり、図１１（ｂ）によると、弁体３５における円弧部分の中心角は203°(＝180°+逆cos((3.0-2.5)/2.5)×2)である。
【００３０】
以上のように本実施形態によれば、内袋、外袋の端部を結束した後に、ワンウェイフレコンを圧迫することで、樹脂ペレットの収容時に取り込まれた空気を排出することができる。かかる結束により、ワンウェイフレコンに取り込まれた樹脂ペレットがこぼれることなく、また、異物がワンウェイフレコンに入り込むこともないから、ワンウェイフレコンの空気抜きを、簡易かつ確実に行うことができる。これにより、樹脂ペレット搬送時の荷役・保管作業を多いに効率化することができる。
【００３１】
（第２実施形態）
第１実施形態では、内袋２０に、空気弁３０を設けて、樹脂ペレットの充填後に、内袋２０を圧迫することで滞留空気の排出を実現した。これに対して第２実施形態では、強制排出のための長尺のホース材を、空気弁３０に取り付けることで、内袋内部に滞留している空気の機械的な吸い出しを実現する。
【００３２】
図１２（ａ）は、第２実施形態に係る空気弁３０の外部構成を示す。本図に示すように空気弁３０における円筒体３１において、メッシュ３２で覆われた側の開口の周縁部３１eには、テープの貼付け又は接着により、ポリエチレン(ＰＥ)素材のホース材３７が取り付けられている。このホース材の長さは、外袋１０の投入筒１１の開口にまで引き出すことができる長さに設定されている。
【００３３】
ホース材３７の用いられ方を、図１２（ｂ）〜（ｄ）を参照しながら説明する。図１２（ｂ）は、投入筒１１が、上蓋１０４から突出していて、当該投入筒１１の開口から作業者が手を入れている状況(insert(1))を示す。図１２（ｃ）は、ホース材３７の先端を投入筒１１の開口にまで引き出している状況(pullup(2))を示す。図１２（ｄ）は、ホース材３７の開口にハンドブロア６００の吸入口を挿入している状況を示す。かかるハンドブロア６００の挿入により吸い出しを行えば、空気弁３０が開くから、内袋の上部に滞留していた空気を早期に吸い出すことができる。
【００３４】
尚、具体的な大きさとしては、ホース部剤３７の長さは30cm以上とすべきであり、その内径は、円筒体の内径と同じ5cmにすべきである。
以上のように本実施形態によれば、空気弁３０における円筒体３１の外側開口にホース材３７が取り付けられているので、外袋１０の投入筒７からホース材３７を引き出し、そこからハンドブロア６００を用いた強制的な空気吸い出しを行うことで、短期間に、空気の排出を完遂させることができる。
【００３５】
（第３実施形態）
第１実施形態では、内袋２０に空気弁３０を取り付けることで、樹脂ペレットが収容された後での空気排出を実現した。しかし弁体３５は、周部の一部が円筒体に止着されているに過ぎないから弁体３５が勝手に開弁になってしまい、異物が内袋に入り込んでしまうことは避けられない。また、たとえメッシュ３２が存在するにしても、内袋内部への水分の進入は回避し得ない。そこで第３実施形態では、空気弁に空気栓を設けることにし、かかる空気栓による内袋の密封を実現する。
【００３６】
以下、図１３（ａ）、（ｂ）を参照しながら、第３実施形態に係るワンウェイフレコンの構成について説明する。図１３（ａ）、（ｂ）は、第３実施形態に係るワンウェイフレコンの断面構成を示す図である。本図は、第１実施形態に記載した図２（ａ）、（ｂ）を基礎として作図されている。図２（ａ）、（ｂ）に示した胴体部１０１の断面構成と比較すると、図１３（ａ）、（ｂ）では、空気弁３０が、空気栓付きの空気弁４０に置き換えられている点が異なる。
【００３７】
図１４（ａ）は、第３実施形態に係る空気弁４０の構成を模式的に示す図である。図１４（ｂ）、図１４（ｃ）は、図１４（ａ）の一点鎖線E-E'の位置で切断した場合の空気弁４０の断面構成を模式的に示す図である。
図１４（ａ）に示すように、空気弁４０は、第１実施形態に係る空気弁３０の構成をベースにしており、第１実施形態における空気弁３０と共通の構成要素として、メッシュ３２、弁座部３３、弁体３５を有している。先ず、空気弁４０と、空気弁３０との共通部分について説明する。具体的にいうと、空気弁３０と、空気弁４０とは、弁座部３３、弁体３５の取付箇所が同じである。つまり、第３実施形態では、第１実施形態の円筒３１同様、円筒体４１の内側端部を、円弧状の弁座部３３を残して開口３４させ、当該開口３４を覆う状態で弁体３５を設けた構成になってる。
【００３８】
次に、空気弁４０と、空気弁３０との差異点について説明する。空気弁４０と、空気弁３０とには、以下の３つの差異点が存在する。
第１に、円筒体の一方の開口の構成が異なる。具体的にいうと、第１実施形態の円筒体３１において、内袋への取り付け時に外側となる開口(以下、外側開口という)には、図４（ｃ）に示すように、メッシュ３２が取り付けられていたのに対し、第３実施形態の円筒体４１の外側開口は、図１４（ａ）に示すように、枝部４２の先端に形成された空気栓４３の挿通が可能になっている点が異なる。
【００３９】
第２に、内袋への取り付け方法が異なる、具体的にいうと、第１実施形態の円筒体３１は、図５（ｂ）に示すように、内袋の裏面に取り付けられていたのに対し、第３実施形態の円筒体４１は、図１４（ａ）に示すように、可撓性をもった中空の台座部分４４によって支持されており、円筒体４１自身が、内袋２０の外表面から延出している点が異なる。
第３に、メッシュ３及び弁本体の配置順序が異なる。具体的にいうと、第１実施形態の空気弁３０では、図４（ｃ）に示すように、メッシュ３２が、円筒体３１の外側開口に取り付けられ、内袋２０の内側から外側に向かう方向に向けて、弁本体(弁座３３及び弁体３５)と、メッシュ３２とが、その順序で並んでいたのに対し、第３実施形態では、図１４（ａ）に示すように、円筒体４１を支持する台座部分４４の底部に、メッシュ３２を具備した裏蓋４５がはめ込められていて、弁本体と、メッシュ３２とが、第１実施形態とは逆の順序で並んでいる点が異なる。
【００４０】
上記のように構成された空気弁４０において、内袋２０が圧迫された場合、図１４（ｂ）に示すように、弁体３５が開弁になる。これにより樹脂ペレットの収容時に取り込まれた空気が内袋２０から排出される。空気排出がなされ、弁体３５が閉弁になった後、図１４（ｃ）のcv1に示すように、枝部４２を折曲げることで空気栓４３を円筒体４１の開口に差し込む。それと共に、図１４（ｃ）のcv2に示すように、台座部分４４の側壁を折曲げる。こうすることで、円筒体４１の内側端部が封止されるから、内袋から空気が抜かれた状態を長く保つことができる。
【００４１】
以上のように本実施形態によれば、内袋の圧迫後、空気弁の円筒体に空気栓を挿通させることで、内袋の密封を実現することができる。これにより、充填物である樹脂ペレットの品位を長く保つことができる。
（第４実施形態）
第１実施形態は、内袋に空気弁３０を設けることで、内袋内部に残留していた空気の排出を実現した。これに対して第４実施形態では、内袋自身の構成に改良を加えることで、空気排出を実現する。
【００４２】
図１５は、第４実施形態に係るワンウェイフレコンの内袋５０の外観を示す。以下、第１実施形態に係る内袋２０との差異について述べる。これは、第１実施形態に係る内袋２０は、単一素材であるポリエチレン素材のみで構成されているのに対し、第４実施形態に係る内袋５０は、下端面bd1及び周面bd2と、上端面bd3とが異なる素材で構成されているという違いである。具体的にいうと、内袋５０の下端面bd1及び周面bd2は、第１実施形態に係る内袋２０と同様、ポリエチレン素材で構成されていて、内袋５０の上端部bd3は織布で構成されている。織布は、図１５の右上に拡大して示すように、帯状のフラットヤーンを、経糸h1,h2,h3,h4及び緯糸v1,v2,v3,v4とすることで形成されている。
【００４３】
こうして、織布により構成された内袋上端面bd3と、ポリエチレン素材で構成された内袋の周面bd2とを、接着又はテープの貼付けにより、結合することで、図１５の内袋５０は構成される。
以上のように本実施形態によれば、上端面が織付で構成されているから、上方から内袋を圧迫することで、樹脂ペレットの充填時に、内袋の上部に取り込まれた空気を早期に抜くことができる。
【００４４】
＜備考＞
以上、本願の出願時点において、出願人が知り得る最良の実施形態について説明したが、以下に示す事項については、更なる改良や変更実施を加えることができる。各実施形態に示した通り実施するか、これらの改良・変更を施すか否かは、何れも任意的であり、実施する者の主観によることは留意されたい。
【００４５】
（空気弁３０の個数及び設置場所）
第１実施形態では、図１１（ｂ）においてハッチングPt1を施して示した箇所に、空気弁３０を1つだけ設けた。しかしこれは一例に過ぎない。図１１（ｂ）においてハッチングPt1を施して示した箇所に、空気弁３０を複数設けてもよい。
（空気弁３０の構成）
第１実施形態に示した弁体３５は、図４（ａ）に示すように円筒体３１と一体成形されており、円筒体３１との止着部分を軸として開閉動作を行ったが、円筒体３１と、弁体３５とを別部品として構成し、これらをテープで結合することで、弁体３５の開閉を実現してもよい。また、円筒体３１と、弁体３５とをばね付勢したヒンジ等で結合することで、弁体３５の開閉を実現してもよい。
【００４６】
（空気弁３０の作成）
空気弁３０は、図５（ａ）、（ｂ）の一点鎖線Ｃ-Ｃ'の位置で分割された分割部分を個別に成形して、その後、熔着又は接着により一体化してもよい。また個別成形のための分割部分は、一点鎖線Ｃ-Ｃ'の位置に限らず、他の箇所であってもよい。空気弁３０については、その構成要件(円筒体３１、メッシュ３２、弁座３３、弁体３５)のうち、必要となるものを射出成形で成形することで構成してもよい。また、弁体３５を傾斜させ、弁座３３に接触させる形で円筒体３１の内周面に取り付けてもよい。
【００４７】
（メッシュ３２のバリエーション）
第１実施形態に係る空気弁３０においてメッシュ３２は、円筒体３１と一体構成としたが、メッシュ３２を別構成にしてもよい。この場合、メッシュ３２は、樹脂ペレットを通さず、空気を通すものであれば、紙製のもの、布製のもの(織布、不織布)、割り符、微孔付フィルムの何れの材質のものを採用することができる。
【００４８】
（ワンウェイフレコンの外寸）
第１実施形態の実施例では、ワンウェイフレコン１００の横幅、高さとして、作業者が手軽に持ち運べ、かつ、容量を大きくし得るものを採用した。しかしこれに限らず、もっと小さいもの、もっと大きいものを選んでもよい。
（内袋圧迫のバリエーション）
第１実施形態では、ワンウェイフレコン１００を両腕で抱え込むことで内袋を圧迫したが、空気弁による排気を妨げないような荷重のかけ方であれば、どのような方法で荷重をかけてもよい。
【００４９】
（樹脂ペレットのバリエーション）
樹脂ペレットは、塩化ビニル、ポリエチレン、ポリプロピレンといった複数種別のプラスチック原料をブレンドすることで得られたブレンド材の樹脂ペレットであってもよい。また、シリコーンなどが添加された添加型の樹脂ペレットであってもよい。ペットボトルなどの廃プラスチックを破砕、溶融し、再成型することで得られたリサイクル材の樹脂ペレットであってもよい。
【００５０】
(内袋２０の原材料）
第１実施形態では、ポリエチレンを内袋２０の原材料として使用した。しかしこれに限らず、被収容物の保護部材としての機能をもつ合成樹脂であればどのようなものを内袋の原材料として使用してもよい。そのような保護部材としての機能をもつ合成樹脂としては、アニオン系合成樹脂又はポリオレフィン系合成樹脂がある。アニオン系合成樹脂としては、カルボキシル基含有単量体とアクリル系単量体の共重合により得られるカルボキシル基含有アクリル樹脂等が挙げられる。ポリオレフィン系合成樹脂としては、低密度ポリエチレン、高密度ポリエチレン、直鎖状低密度ポリエチレン、メタロセン直鎖状低密度ポリエチレン、ポリプロピレン、ポリブテン、エチレンと他のα−オレフィン一種以上との共重合体、プロピレンと他のα−オレフィン一種以上との共重合体等が挙げられる。他のα−オレフィンとしては例えばエチレン、ポリプロピレン、１−ブテン、４−メチル−１−ペンテン、１−ペンテン、１−オクテン、１−デセン、１−ドデセンが挙げられる。
【００５１】
また、合成樹脂と、カーボンブラックと、帯電防止剤とを含むフィルムで内袋を構成してもよい。
（強度部材による外袋１０の構成）
これまでの実施形態で説明した外袋１０は、相応の引張強度をもった強度部材で構成することが望ましい。かかる強度部材は、天然繊維や合成繊維等による織物の外面に合成樹脂やシート材をコーティングすることで構成される。そのような合成樹脂には、塩化ビニル（PVC）、ポリエチレン（PE）、エチレン・酢酸ビニル共重合体（EVA）などがある。コーティング材としては、クロロプレンゴム（CR）などの合成ゴムを使用することができる。また外袋１０は、上記合成樹脂や合成ゴムのみからなるシート材からなるものであってもよい。
【００５２】
（サイドシール部における通気性の実現）
内袋において、袋長手方向のサイドシール部の上端部に、特殊形状のパターンシールを設けることで、通気性をもたせてもよい。特殊形状のパターンシールは、連通する通気路を形成するものである。
【産業上の利用可能性】
【００５３】
本発明にかかるワンウェイフレコンは、積み重ねが可能な態様で、樹脂ペレットを収容することができるので、物流業界に留まらず、高分子化合物を製造する業界や、産業廃棄物を運搬する業界においても利用される可能性がある。
【符号の説明】
【００５４】
１０  外袋
２０  内袋
３０  空気弁
３１  円筒体
３２  メッシュ
３３  弁座部
３４  円筒体の開口
３５  弁体
４０  空気栓付き空気弁
４１  円筒体
４２  枝部
４３  空気栓
４４  台座
４５  裏蓋
５０  内袋
１００  ワンウェイフレコン
１０１  胴体部
１０２  吊紐
１０４  上蓋
１０５  下蓋
２００  サイロ
３００  リフトコンベア
４００  トラック
【図１】
0006636782.tif 000002
【図２】
0006636782.tif 000003
【図３】
0006636782.tif 000004
【図４】
0006636782.tif 000005
【図５】
0006636782.tif 000006
【図６】
0006636782.tif 000007
【図７】
0006636782.tif 000008
【図８】
0006636782.tif 000009
【図９】
0006636782.tif 000010
【図１０】
0006636782.tif 000011
【図１１】
0006636782.tif 000012
【図１２】
0006636782.tif 000013
【図１３】
0006636782.tif 000014
【図１４】
0006636782.tif 000015
【図１５】
0006636782.tif 000016
【図１６】
0006636782.tif 000017